(57)【要約】【課題】外部からの不正解錠操作を確実に防止でき、かつ、緊急時の避難も容易な錠装置の提供を目的とする。【解決手段】室内側に露出した操作部１への操作により駆動され、施錠体２を施解錠位置間で駆動する錠操作部３を保持するロックベース４と、  ロックベース４に回転自在に枢支され、ロック姿勢において前記室内側の操作部１を覆い、該操作部１への操作を不能にするカバー体５と、  前記カバー体５をロック姿勢に拘束し、ロックベース４上に配置されたロック操作部６への操作により拘束解除が可能なロック部７とを有して構成する。【選択図】  図１
2005200966.tif 000002
【特許請求の範囲】
【請求項１】
室内側に露出した操作部への操作により駆動され、施錠体を施解錠位置間で駆動する錠操作部を保持するロックベースと、
ロックベースに回転自在に枢支され、ロック姿勢において前記室内側の操作部を覆い、該操作部への操作を不能にするカバー体と、
前記カバー体をロック姿勢に拘束し、ロックベース上に配置されたロック操作部への操作により拘束解除が可能なロック部とを有する錠装置。
【請求項２】
前記ロック部は、所定の解錠回転位置においてカバー体の拘束が解除されるダイヤルの適数を備えるダイヤル錠であり、
かつ、各ダイヤルには、解錠回転位置を知らせる解錠マークのみが表示される請求項１記載の錠装置。
【請求項３】
施錠体を施解錠位置間で駆動する錠操作部を室内側から操作する操作部と、
前記操作部を覆い、該操作部への操作を不能にするカバー体と、
カバー体の操作部への隠蔽状態を保持するロック部とを有し、
前記カバー体には、操作部の隠蔽状態において、打撃破壊のための塑性変形スペースを操作部の周辺に提供し、外部から操作部が目視可能な膨隆部が形成される錠装置。
【発明の詳細な説明】
【技術分野】
【０００１】
本発明は、錠装置に関するものである。
【背景技術】
【０００２】
外部からの室内側解錠操作部への操作による不正解錠操作を防止することのできる錠装置としては、特許文献１に記載されたものが知られている。この従来例において、錠装置は、室内側に配置されるドアのノブ全体を覆うカバー体を備える。
【０００３】
カバー体は南京錠により施錠可能であり、施錠状態において、ノブに設けられる解錠用の操作部を外部に露出させることはできないために、例えば、ドアに穴を明けて操作部を直接操作する不正解錠操作を完全に防止できる。
【特許文献１】特開平１１-９３４７０号公報
【発明の開示】
【発明が解決しようとする課題】
【０００４】
しかし、上述した従来例は、火災等の緊急時の避難に際しては、鍵を探し、南京錠を解錠する必要があるために、防災的な面で問題がある。
本発明は、以上の欠点を解消すべくなされたものであって、外部からの不正解錠操作を確実に防止でき、かつ、緊急時の避難も容易な錠装置の提供を目的とする。
【課題を解決するための手段】
【０００５】
本発明によれば上記目的は、
室内側に露出した操作部１への操作により駆動され、施錠体２を施解錠位置間で駆動する錠操作部３を保持するロックベース４と、
ロックベース４に回転自在に枢支され、ロック姿勢において前記室内側の操作部１を覆い、該操作部１への操作を不能にするカバー体５と、
前記カバー体５をロック姿勢に拘束し、ロックベース４上に配置されたロック操作部６への操作により拘束解除が可能なロック部７とを有する錠装置を提供することにより達成される。
【０００６】
錠装置は、引き戸等の施錠対象に固定されるロックベース４上に、操作部１、カバー体５、錠操作部３、施錠体２、ロック部７及びこのロック部７を操作するロック操作部６を保持して構成される。施錠対象を施解錠する施錠体２の駆動は、室内側に露出した操作部１を操作することにより錠操作部１を作動させて行われ、操作部１をカバー体５により覆い、ロック部７によりカバー体５を当該姿勢に拘束することによって外部からの不正操作が防止される。
【０００７】
カバー体５を室内側操作部１を覆うロック姿勢に拘束するロック部７のロック操作部６がロックベース４上に固定されている本発明において、緊急時には従来例のように、鍵を探す必要がない。この結果、ロック操作部６を操作して解錠状態に移行させることができるために迅速な避難等が可能になる。
【０００８】
ロック部７のロック操作部６は、引き戸に明けられた穴から室内に差し込まれたジグ、あるいは手によっては容易に操作できず、かつ、室外側からは容易に操作可能であれば、例えば、押し釦等、適宜のものが採用可能であるが、ロック部７をダイヤル錠として構成し、ダイヤルをロック操作部６として操作するようにできる。
【０００９】
この場合、室外からの不正解錠操作においては、通常、ダイヤルは外部から目視困難であるために、ダイヤルに解錠回転位置を知らせる解錠マーク８のみを表示し、他の回転角度に対応する周面を無地模様に形成すると、咄嗟で気が動転している場合であっても、確実に解錠操作を行うことができる。解錠マーク８は、蓄光材料を使用して形成することも可能であり、このようにすると、夜間での避難が容易になる。
【００１０】
以上においては、ロック部７への操作を容易にして緊急時の避難を簡単にした錠装置が提案されたが、同様の目的は、カバー体５の破壊を容易にすることによっても達成できる。
【００１１】
この場合、錠装置は、
施錠体２を施解錠位置間で駆動する錠操作部３を室内側から操作する操作部１と、
前記操作部１を覆い、該操作部１への操作を不能にするカバー体５と、
カバー体５の操作部１への隠蔽状態を保持するロック部７とを有し、
前記カバー体５には、操作部１の隠蔽状態において、打撃破壊のための塑性変形スペースを操作部１の周辺に提供し、外部から操作部１が目視可能な膨隆部９が設けられて構成される。
【００１２】
膨隆部９は、カバー体５をロック状態にしているときであっても、操作部１の周辺に打撃破壊のための塑性変形スペースを操作部１の周辺に提供し、この結果、緊急時には膨隆部９に打撃を加えることにより膨隆部９、あるいはカバー体５全体を破壊することができる。膨隆部９は、例えば透明、あるいは半透明に形成されて外部から操作部１を目視可能であり、咄嗟の際にもカバー体５を破壊して操作部１を操作することを利用者に想起させる。また、膨隆部９は一般部に比して前方に張り出していることから、咄嗟の場合にも破壊時の打撃箇所を容易に認知させることができる。
【００１３】
一方、膨隆部９、あるいはカバー体５の破壊のためには、膨隆部９への打撃が必要であるために、音をたてることに対する精神的な抵抗を利用して不正操作者による破壊作業を間接的に防止できる。
【発明の効果】
【００１４】
本発明によれば、外部からの不正解錠操作を確実に防止でき、かつ、緊急時の避難も容易な錠装置を得ることができる。
【発明を実施するための最良の形態】
【００１５】
図１ないし４に引き戸１０の戸先に固定して使用される戸先鎌錠として構成された本発明の実施の形態を示す。戸先鎌錠は、引き戸１０の室内側壁面１０ａに露出する室内側ベースプレート４ａと、室外側壁面１０ｂに露出する室外側ベースプレート４ｂ及び後述する施錠体ケース４ｃに分離可能なロックベース４を有する。
【００１６】
ロックベース４を固定するために、引き戸１０には錠取付開口１０ｃが形成され、室内側ベースプレート４ａと室外側ベースプレート４ｂとは、各々引き戸１０の室内側１０ａ及び室外側壁面１０ｂから錠取付開口１０ｃに嵌合された後、室内側からねじ込まれるねじ１１により連結される。室外側ベースプレート４ｂには、室外側からの操作部となるシリンダ錠１２が固定される。
【００１７】
上記室内側ベースプレート４ａには、後述する連結プレート１４とともに錠操作部３を構成するスライドプレート１３が保持される。このスライドプレート１３は、室内側ベースプレート４ａに対して上下移動自在であり、シリンダ錠１２への操作に対応してスライドプレート１３を駆動するために、スライドプレート１３には、シリンダ錠１２側に向けて連動ピン１３ａが立設されるとともに、シリンダ錠１２の終端には、シリンダ錠１２への施解錠操作に伴って回転駆動されるシリンダカム１２ａが固定される。図２（ｂ）に示すように、シリンダカム１２ａは、シリンダ錠１２の回転ストローク終端近傍においてのみ上記連動ピン１３ａに干渉して連動ピン１３ａに上下方向の駆動力を付与する形状に形成され、施解錠状態において、シリンダ錠１２の回転が規制されていても、連動ピン１３ａの移動経路は開放されるように構成される。
【００１８】
また、上記スライドプレート１３には室内側に突出する室内側操作部１が固定される。上述したように、シリンダ錠１２が施解錠いずれの状態にあっても、シリンダカム１２ａと連動ピン１３ａとは干渉しないために、錠操作部３は、室内側操作部１を操作することにより、施錠位置にある場合には、解錠位置側に、解錠位置にある場合には、施錠位置側に移動させることができる。
【００１９】
一方、施錠体ケース４ｃには、上記錠操作部３の移動に伴って動作する施錠体２が保持される。施錠体２は、ロックベース４を引き戸１０に固定した状態で引き戸１０の戸先から進退するフック形状をなすプレート体であり、施錠体ケース４ｃ内に回転自在に枢支される。図１（ａ）において２ａは施錠体２の枢軸を示す。
【００２０】
この施錠体２を錠操作部３の移動に伴って回転駆動するために、施錠体ケース４ｃには連結プレート１４が上下移動自在に保持される。連結プレート１４は、スライドプレート１３側に突出する連結用舌片１４ａを有し、上記スライドプレート１３から突設されるドライブピン１３ｂが連結用舌片１４ａに貫通する。また、連結プレート１４には、施錠体駆動ピン１４ｂが立設され、施錠体２に開設されたカム孔２ｂに挿通される。
【００２１】
したがってこの実施の形態において、図１に示すように、施錠体２が引き戸１０の戸先面１０ｄから突出し、フック部２ｃが図外の戸枠のストライカに係止した施錠状態からシリンダ錠１２、あるいは室内側操作部１を解錠側に駆動すると、錠操作部３は上方に向けて摺動する。図４に示すように、錠操作部３の移動により、連結プレート１４は上方に移動し、施錠体２はカム孔２ｂに挿入された施錠体駆動ピン１４ｂにより反時計回りに駆動されてストライカとの係止が解錠され、同時に施錠体２はロックベース４内に収容される。また、解錠状態からシリンダ錠１２あるいは室内側操作部１に施錠操作を加えると、錠操作部３及び連結プレート１４は下方に移動し、これにより施錠体２は時計回りに回転し、ストライカに係止して施錠状態に移行する。
【００２２】
さらに、この実施の形態において、錠装置は閉扉検知部１５を備える。閉扉検知部１５は、引き戸１０が完全に閉塞していない状態で施錠体２が施錠位置に保持されると、引き戸１０の閉塞操作に伴って施錠体２が戸枠等に衝接して破壊されるおそれがあり、これを防止するために設けられるもので、圧縮スプリング１５ａ（図４（ｂ）参照）により外方に付勢された検知ボタン１５ｂと、上記連結プレート１４に形成され、該連結プレート１４の施解錠操作時の移動方向に対して直交方向に長い切欠１５ｃとから構成される。検知ボタン１５ｂには干渉部１５ｄが形成されており、上記切欠１５ｃの開放端は、検知ボタン１５ｂの先端が戸先面１０ｄに一致する状態で干渉部１５ｄに対応する。
【００２３】
したがってこの実施の形態において、引き戸１０が開放状態であると、図４（ｂ）に示すように、検知ボタン１５ｂは圧縮スプリング１５ａの付勢力により戸先面１０ｄから突出しており、検知ボタン１５ｂの干渉部１５ｄは切欠１５ｃの開放端に対応していない。この結果、連結プレート１４は検知ボタン１５ｂの干渉部１５ｄに衝接するために、連結プレート１４を施錠方向にスライドさせることができず、結果、施錠操作を行うことができない。
【００２４】
これに対し、引き戸１０が完全に閉塞状態である場合には、検知ボタン１５ｂは戸枠等に当接して戸先から飛び出すことなく、引き戸１０内に収容される。この状態で干渉部１５ｄは切欠１５ｃの開放端に対峙しており、図１（ａ）に示すように、切欠１５ｃ内に進入することができるために、連結プレート１４を施錠方向に移動させること、すなわち、施錠操作が可能となる。
【００２５】
室外からの室内側操作部１への不正操作を完全に防止するために、ロックベース４にはカバー体５が連結される。カバー体５は、一端部に後述するロック部７による係止孔５ａが開設される係止片５ｂを備え、他端部が枢軸５ｃを介してロックベース４に回転自在に枢支される。このカバー体５は、枢軸５ｃ周りに回転して、図１（ｂ）に示すように、室内側操作部１を覆うロック姿勢と、図４（ａ）に示すように、室内側操作部１の覆い姿勢を解除したアンロック姿勢との間を移動できる。
【００２６】
このカバー体５は、後述するロック部７によって拘束されない状態で引き戸１０を開閉する際に邪魔にならないように、枢軸５ｃ周りに巻装されるトーションスプリング５ｄによりロック姿勢側に付勢される。
【００２７】
カバー体５には膨隆部９が形成され、ロック姿勢において室内側操作部１の施解錠位置間での移動を許容するためのスペースが提供される。膨隆部９により形成されるスペースは、同時に、該膨隆部９表面に打撃を加えた際に、肉質部の内方への変形スペースとしても機能するために、膨隆部９の表面に打撃力を与えることにより膨隆部９を破壊することができる。この膨隆部９は、引き戸１０を開放する際に戸袋等との当たりが発生しない高さに設定される。また、上記カバー体５全体は、膨隆部９への打撃による破壊が可能で、かつ、ロック姿勢においても室内側操作部１を外部から視認することができるように、透明、あるいは半透明の合成樹脂材により形成される。
【００２８】
したがってこの実施の形態において、カバー体５が後述するロック部７によりロック姿勢に拘束された状態であっても、火災等の咄嗟の際には、膨隆部９に打撃を加えることによりカバー体５全体、あるいは膨隆部９を破壊して室内側操作部１を操作し、室内から退避することできる。
【００２９】
上記カバー体５をロック姿勢に拘束するために、ロック部７が設けられる。ロック部７は、複数のダイヤルを所定回転角度まで回転させることによるロック状態を解除するダイヤル錠として構成される。
【００３０】
ダイヤル錠は、図１（ｂ）及び図３に示すように、ダイヤルケース１６内に保持される杆状のダイヤルロッド１７と、ダイヤルロッド１７に回転自在に外嵌される複数のダイヤル６とから構成される。ダイヤルロッド１７は、引き戸１０の室内側壁面１０ａに対して平行面内で長手方向に移動自在であり、一端に上記カバー体５の係止孔５ａに嵌合可能な係止部１７ａを備える。
【００３１】
カバー体５のロック姿勢への拘束は、係止部１７ａを係止孔５ａに挿入させることにより行われ、上述したように、この状態で、カバー体５の膨隆部９はロック部７によりロックされた状態で戸袋等に衝接しない高さに設定される。これに対し、カバー体５をロック部７により拘束しない状態においては、カバー体５の係止片５ｂは係止部１７ａに乗り上げ、膨隆部９は引き戸１０の表面からわずかに飛び出した状態となる。この状態で引き戸１０を開放させて戸袋等に膨隆９が衝突すると、カバー体５が破損するために、膨隆部９は、図３（ａ）に示すように、戸袋等への衝接時に閉じ方向の分力が発生するように、蒲鉾型断面形状に形成されるとともに、係止部１７ａは、カバー体５の閉じ方向動作により後退方向の分力が発生する斜面により形成される。
【００３２】
また、利用者に拘束、非拘束位置を容易に認識させるために、ダイヤル錠には、節度発生部１８が設けられる。節度発生部１８は、ダイヤルケース１６に形成される２箇所のＶ字状凹部１８ａ、１８ａと、圧縮スプリング１８ｂによりＶ字状凹部１８ａに向けて付勢されるクリックボール１８ｃとから構成され、指掛け部１７ｂが押されてダイヤルロッド１７が拘束、あるいは非拘束位置に達すると、クリックボール１８ｃはＶ字状凹部１８ａに節度感を伴って落ち込み、利用者に当該位置を知らせる。
【００３３】
図１（ｂ）及び図３に示すように、ダイヤル６は、小径部６ａと大径部６ｂとを備えて段付円板状に形成され、大径部６ｂの外周が当該ダイヤル６が解錠対応回転位置にあるか否かを利用者に知らせるための表示面として利用される。図３（ｂ）に示すように、このダイヤル６は、小径部６ａ外周に形成された節度発生用凹部６ｃにダイヤルケース１６側の節度発生脚１６ａを圧接させることにより、所定回転角度毎に節度停止を伴う回転操作が可能とされている。
【００３４】
ロック状態でダイヤルロッド１７の移動を規制するために、ダイヤルロッド１７にはロック用突起１７ｃが、ダイヤル６の小径部６ａには、突起ブロック壁６ｄが各々形成される。ロック用突起１７ｃはダイヤルロッド１７の一般部から径方向に突出され、ダイヤル６の個数（この実施の形態においては２個）に対応して設けられる。一方、突起ブロック壁６ｄには、ダイヤル６が所定の回転姿勢を取る際に上記ロック用突起１７ｃに正対し、該ロック用突起１７ｃの通過を許容する突起挿通部６ｅが凹設される。
【００３５】
したがってこの実施の形態において、ダイヤルロッド１７を拘束位置にした状態でダイヤル６を適当に回転させると、ダイヤルロッド１７のロック用突起１７ｃが突起ブロック壁６ｄに衝接するために、ダイヤルロッド１７を非拘束位置側に移動させることが不可能となり、係止部１７ａの係止孔５ａへの係止を解除することができない。
【００３６】
これに対し、ダイヤル６を所定角度まで回転させると、突起挿通部６ｅがロック用突起１７ｃに正対してロック用突起１７ｃの移動経路を開放するために、ダイヤルロッド１７を非拘束位置側に移動させることが可能となり、カバー体５をロック姿勢から移動させることができる。
【００３７】
さらに、この実施の形態において、ダイヤル６の大径部６ｂ外周には、アンロック回転位置を利用者に知らせるための解錠マーク８のみが表示され、他の外周は無地模様とされる。
【００３８】
したがってこの実施の形態において、ダイヤル６の周囲に唯一記された解錠マーク８が表示されるまでダイヤル６を回転させると、確実にカバー体５をロック姿勢から移動させることができるために、咄嗟の場合であっても、解錠コード等を失念して解錠操作ができないという問題がなく、しかも、ダイヤル６の外表面は室内側に向けられ、外部からは容易に目視困難であるために、不正操作に対する耐性も低下することはない。
【図面の簡単な説明】
【００３９】
【図１】本発明を示す図で、（ａ）は室内側から見た正面図、（ｂ）は（ａ）の１Ｂ-１Ｂ線断面図である。
【図２】錠操作部を示す図で、（ａ）は図１（ｂ）の２Ａ-２Ａ線断面図、（ｂ）は図１（ｂ）の２Ｂ-２Ｂ線断面図である。
【図３】図１の断面図で、（ａ）は図１（ａ）の３Ａ-３Ａ線断面図、（ｂ）は図１（ａ）の３Ｂ-３Ｂ線断面図、（ｃ）は図１（ａ）の３Ｃ-３Ｃ線断面図である。
【図４】カバー体を開放した状態を示す図で、（ａ）は（ｂ）の４Ａ-４Ａ線断面図、（ｂ）は室内側から見た正面図である。
【符号の説明】
【００４０】
１        操作部
２        施錠体
３        錠操作部
４        ロックベース
５        カバー体
６        ロック操作部
７        ロック部
８        解錠マーク
９        膨隆部
【図１】
2005200966.tif 000003
【図２】
2005200966.tif 000004
【図３】
2005200966.tif 000005
【図４】
2005200966.tif 000006